(57)【特許請求の範囲】
【請求項１】
作業機本体（５）が搭載された背負枠（２１）に、外皮（３１）に緩衝材（１５）が充填されてなる背当て（２３，４２）が取り付けられている背負式作業機（Ｍ）において、
前記背当て（２３，４２）の前記外皮（３１）の前記背負枠（２１）側に、前記外皮（３１）の内外を連通する連通孔（３７）が設けられ、
前記外皮（３１）の前記連通孔（３７）は、前記背当て（２３，４２）が前記背負枠（２１）に押し付けられたときに、前記背負枠（２１）で閉塞されるように設けられていることを特徴とする背負式作業機（Ｍ）。
【請求項２】
前記背負枠（２１）には、前記外皮（３１）の前記連通孔（３７）に外気を流通させる空気流通路（２４）が設けられていることを特徴とする請求項１に記載の背負式作業機（Ｍ）。
【請求項３】
前記背当て（４２）の前記外皮（３１）には、前記背当て（４２）内に空気を導入するための導入孔（３８）と、この導入孔（３８）を閉塞する蓋部材（４１）とが設けられていることを特徴とする請求項１または請求項２に記載の背負式作業機（Ｍ）。
【発明の詳細な説明】
【０００１】
【発明の属する技術分野】
本発明は、背負式動力噴霧機や背負式動力散布機等の背負式作業機に関する。
【０００２】
【従来の技術】
図７に示すように、従来から知られている背負式動力噴霧機Ｍ１は、ポンプ１およびこのポンプ１を駆動するエンジン３等からなる作業機本体５と、この作業機本体５を搭載するとともに、薬剤タンク７が取り付けられた背負枠９とを備えている。
背負枠９は、概略Ｌ字板状に形成されたものであって、作業機本体５を載置する載置部９ａと、この載置部９ａに略直交する方向に延びる起立部９ｂとを有しており、図８に示すように、この背負枠９の起立部９ｂには、ねじやピン等の固定具１０により背当て１１が取り付けられている。
【０００３】
図９に示すように、背当て１１は、スポンジ等の弾性体からなる緩衝材１５と、この緩衝材１５を充填した外皮１７とを備えている。外皮１７は、２つの外皮材１９，１９からなっており、緩衝材１５をこれら２つの外皮材１９，１９で挟んだ状態で、両外皮材１９，１９の各周縁部１９ａ，１９ａを熱溶着等により接着することにより、外皮１７の中に緩衝材１５が充填されている。
【０００４】
また、実公平４−５１８９０号公報には、緩衝材が充填されて作業者の背中に直接接触する凸条部と、緩衝材が充填されていない凹条部とを交互に設け、凹条部に通気孔を形成し、作業者の背中への通気性を良くしている背当てを備えた背負式防除作業機が記載されている。
【０００５】
【発明が解決しようとする課題】
しかしながら、上記構成の背負式動力噴霧機Ｍ１にあっては、背当て１１の外皮１７内の気密性が完全ではないので、使用を重ねて、作業者と背負枠９との間に背当て１１が挟まれ圧縮されることが繰り返されると、背当て１１の外皮１７内の空気が抜けて、背当てがつぶれていく。一方、背当て１１の外皮１７内の気密性が不完全とはいえ、外から背当て１１の外皮１７内に空気は入らない。
したがって、背負式動力噴霧機Ｍ１の使用を重ねると、背当て１１がつぶれてしまい、このつぶれた背当て１１を復元し難いという問題がある。
【０００６】
また、上記公報に記載された背負式防除作業機においても、緩衝材が充填されていない凹条部に通気孔が設けられているので、背負式防除作業機の使用を重ねると、上記背負式動力噴霧機Ｍ１と同様に、緩衝材が充填された凸条部内の空気が抜けて、背当てがつぶれてしまい、このつぶれた背当てを復元し難いという問題がある。
【０００７】
本発明は、上記事情に鑑みて為されたもので、空気が抜けてつぶれた背当てを容易に復元することができる背負式作業機を提供することを目的とする。
【０００８】
【課題を解決するための手段】
上記目的を達成するために、請求項１に記載の背負式作業機は、作業機本体（５）が搭載された背負枠（２１）に、外皮（３１）に緩衝材（１５）が充填されてなる背当て（２３，４２）が取り付けられている背負式作業機（Ｍ）において、前記背当て（２３，４２）の前記外皮（３１）の前記背負枠（２１）側に、前記外皮（３１）の内外を連通する連通孔（３７）が設けられ、前記外皮（３１）の前記連通孔（３７）は、前記背当て（２３，４２）が前記背負枠（２１）に押し付けられたときに、前記背負枠（２１）で閉塞されるように設けられていることを特徴とする。
【０００９】
請求項１に記載の発明においては、背当ての外皮に連通孔が設けられているので、空気がこの連通孔を介して外皮内に入るため、空気が抜けてつぶれた背当てを容易に復元することができる。また、連通孔が外皮の背負枠側に設けられているので、作業者の背中がこの連通孔に接することがないため、作業者の背中からの汗が、背当ての外皮内の緩衝材にしみ込むのを防止することができる。
また、背負枠を背負ったとき、背当てが背負枠に押し付けられて、背当ての連通孔が背負枠に密着し、この連通孔が背負枠で閉塞される。したがって、外皮内の空気が逃げるのを防止されて、背当てがつぶれるのを抑制される。その結果、背当ての弾力性が維持される。
【００１０】
請求項２に記載の背負式作業機は、請求項１に記載の発明において、前記背負枠（２１）には、前記外皮（３１）の前記連通孔（３７）に外気を流通させる空気流通路（２４）が設けられていることを特徴とする。
【００１１】
請求項２に記載の発明においては、背負枠に空気流通路が設けられているので、この空気流通路を通して、連通孔から外皮内に空気を充分に流通させることができる。
【００１４】
請求項３に記載の背負式作業機は、請求項１または請求項２に記載の発明において、前記背当て（４２）の前記外皮（３１）には、前記背当て（４２）内に空気を導入するための導入孔（３８）と、この導入孔（３８）を閉塞する蓋部材（４１）とが設けられていることを特徴とする。
【００１５】
請求項３に記載の発明においては、背当ての外皮に導入孔が設けられているので、この導入孔から背当て内に空気を強制的に入れることができ、つぶれた背当てを容易に復元することができる。また、導入孔を蓋部材で塞ぐことにより、背当て内の空気を逃がさないようにすることができる。
【００１６】
なお、上記における括弧内の符号は、図面において対応する要素を便宜的に表記したものであり、したがって本発明は図面上の記載に限定されるものではない。これは、「特許請求の範囲」の欄の記載についても同様である。
【発明の実施の形態】
以下、本発明の実施の形態を図面を参照して説明する。
図１乃至図５は、本発明の第１実施の形態に係る背負式動力噴霧機を示す図であって、図１は一部を切り欠いて示す側面図、図２は図１の背負枠の背面図、図３は、背当ての断面図、図４は図３の背当ての正面図、図５は背負式動力噴霧機の使用時の状態を説明するための図である。なお、これらの図において、図７乃至図９と同一構成要素には、同一符号を付してその説明を簡略化する。
【００１７】
この背負式動力噴霧機（背負式作業機）Ｍは、図１に示すように、ポンプ１およびエンジン（原動機）３等からなる作業機本体５と、この作業機本体５が搭載されているとともに、薬剤タンク７および背当て２３が取り付けられた背負枠２１とを備えている。
【００１８】
背負枠２１は、概略Ｌ字板状に形成されたものであって、作業機本体５を載置する載置部２１ａと、この載置部２１ａに略直交する方向に延びる、中空の概略四角板状の起立部２１ｂとを有している。この背負枠２１の起立部２１ｂには、背当て２３が固定具１０により取り付けられている。
【００１９】
図２に示すように、起立部２１ｂには、この起立部２１ｂの中央下部に形成された箱形状の凹部２５と、この凹部２５の上端の略中央部から上方に延びるように形成された溝部２７とよりなる空気流通路２４が設けられている。空気流通路２４の溝部２７の上端部２７ａは、背負枠２１に取り付けられた背当て２３の上方まで延びており、この上端部２７ａを介して、空気流通路２４内に外気が出入りできるようになっている。
【００２０】
図３に示すように、背当て２３は、スポンジ等の弾性体からなる緩衝材１５と、この緩衝材１５を充填した外皮３１とを備えている。外皮３１は、２つの外皮材３３，３３からなっており、緩衝材１５をこれら２つの外皮材３３，３３で挟んだ状態で、両外皮材３３，３３の各周縁部３３ａ，３３ａを熱溶着等により接着することにより、外皮３１の中に緩衝材１５が充填されている。
【００２１】
また、図４に示すように、背当て２３の外皮３１の背負枠２１側の略中央の位置には、外皮３１の内外を連通するための連通孔３７が形成されている。すなわち、外皮３１を構成する２つの外皮材３３，３３のうち、背負枠２１側の外皮材３３に連通孔３７が形成されている。この連通孔３７は、図１および図２に示すように、背負枠２１の起立部２１ｂに形成された凹部２５の底面２５ａに対向する位置に形成されている。
なお、図３および図４の符号３５は、固定具１０を挿通するための通孔であり、各外皮材３３，３３の四隅に形成されている。
【００２２】
このように構成された背負式動力噴霧機Ｍの使用時には、図５に示すように、背当て２３は、作業者Ｈの背中と背負枠２１の起立部２１ｂとの間に挟まれ、起立部２１ｂの凹部２５に押し付けられて、背当て２３の外皮３１の連通孔３７が、作業機本体５や薬剤タンク７等の重量により、凹部２５の底面２５ａに密着される。これにより、連通孔３７が凹部２５の底面２５ａによって塞がれて、外皮３１内の空気が逃げるのを防止される。したがって、背当て２３がつぶれるのを抑制されて、背当て２３の弾力性が維持される。
【００２３】
一方、背負式動力噴霧機Ｍの未使用時には、外気が、背当て２３に設けた空気流通路２４を通って、連通孔３７から外皮３１内に入り、使用時に背当て２３内から抜けた空気が補充される。
【００２４】
このような背負式動力噴霧機Ｍにあっては、背当て２３の外皮３１に連通孔３７が設けられているため、空気が連通孔３７を介して外皮３１内に入ることができる。したがって、空気が抜けてつぶれた背当て２３を容易に復元することができる。
また、連通孔３７が外皮３１の背負枠２１側に設けられているため、作業者Ｈの背中がこの連通孔３７に接することがない。これにより、作業者Ｈの背中からの汗が、外皮３１内の緩衝材１５にしみ込むのを防止することができる。
【００２５】
また、背負枠２１の起立部２１ｂに空気流通路２４が設けられているため、この空気流通路２４を通して、連通孔３７から外皮３１内に空気を充分に流通させることができる。
【００２６】
図６は、本発明の第２実施の形態に係る背負式動力噴霧機の背当てを示す断面図である。なお、図３と同一の構成要素には同一の符号を付してその説明を簡略化する。
【００２７】
この背当て４２は、図６に示すように、外皮３１のうち、作業者の背中側（図６の左側）で且つ上部に、外皮３１内に空気を導入するための導入孔３８が形成された略円筒状の導入口部３９と、この導入口部３９の導入孔３８を閉塞する蓋部材４１とを設けていることのみが、第１実施の形態に係る背当て２３と異なる。
この背当て４２は、図１に示す背負式動力噴霧機Ｍの背負枠２１の起立部２１ｂに、第１実施の形態に係る背当て２３と同様に取り付けられる。
【００２８】
この背当て４２を設けた背負式動力噴霧機においては、外皮３１内に空気を導入するための導入孔３８が形成されているので、この導入孔３８から空気を強制的に入れることができる。したがって、空気が抜けてつぶれた背当て４２をさらに容易に復元することができる。
また、導入孔３８を塞ぐ蓋部材４１を設けているので、外皮３１内の空気が逃げるのを防止することができる。
【００２９】
なお、上記各実施の形態では、起立部２１ｂに凹部２５および溝部２７を形成して空気流通路２４としたが、これに代えて、連通孔３７に対応する部分を通って起立部２１ｂの両端部に亘る溝、あるいは連通孔３７に対応する部分からいずれかの端部に至る溝、または起立部２１ｂを貫通し、連通孔３７に対応する部分に至る貫通孔を空気流通路とするようにしても良い。
【００３０】
また、上記各実施の形態では、背負枠２１の起立部２１ｂに空気流通路２４を設けたが、これに代えて、空気流通路２４を設けず、背当て２３と背負枠２１の起立部２１ｂとの間に生じる隙間を通して、背当て２３の外皮３１の連通孔３７に空気を流通させるようにしても良い。この場合に、連通孔３７は、背負枠２１の起立部２１ｂによって閉塞されるようにしても良いし、閉塞されないようにしても良い。
【００３１】
また、上記各実施の形態では、外皮３１の略中央の位置に連通孔３７を形成したが、この連通孔３７は、例えば、外皮３１の上部や下部等に形成されていても良い。さらには、連通孔３７の個数は複数でも良い。
【００３２】
また、上記各実施の形態では、本発明を背負式動力噴霧機に適用した場合について説明したが、本発明は、背負式動力散布機等の他の背負式作業機にも適用することができる。
【００３３】
【発明の効果】
以上説明したように、本発明の背負式作業機によれば、空気が抜けてつぶれた背当てを容易に復元することができる。
【図面の簡単な説明】
【図１】本発明の第１実施の形態に係る背負式動力噴霧機を一部を切り欠いて示す側面図である。
【図２】図１の背負式動力噴霧機の背負枠を示す背面図である。
【図３】第１実施の形態に係る背当てを拡大して示す断面図である。
【図４】図３の背当てを示す正面図である。
【図５】図１の背負式動力噴霧機の使用時の状態を説明する図である。
【図６】本発明の第２実施の形態に係る背負式動力噴霧機の背当てを拡大して示す断面図である。
【図７】従来の背負式動力噴霧機を一部を切り欠いて示す側面図である。
【図８】図７の背負式動力噴霧機の背負枠を示す背面図である。
【図９】従来の背当てを拡大して示す断面図である。
【符号の説明】
７      作業機本体
１５    緩衝材
２１    背負枠
２３，４２    背当て
２４    空気流通路
３１    外皮
３７    連通孔
３８    導入孔
４１    蓋部材
Ｍ      背負式動力噴霧機（背負式作業機）
【図１】
0003871608.tif 000002
【図２】
0003871608.tif 000003
【図３】
0003871608.tif 000004
【図４】
0003871608.tif 000005
【図５】
0003871608.tif 000006
【図６】
0003871608.tif 000007
【図７】
0003871608.tif 000008
【図８】
0003871608.tif 000009
【図９】
0003871608.tif 000010